【手続補正書】
【提出日】平成25年12月25日(2013.12.25)
【手続補正１】
【補正対象書類名】明細書
【補正対象項目名】０００６
【補正方法】変更
【補正の内容】
【０００６】
本発明の記録装置は、ドットを記録する複数の記録素子が所定方向に配列された第１の記録素子列と第２の記録素子列と、を備え、前記第１および第２の記録素子列と記録媒体とを前記所定方向と交差する走査方向に相対的に走査させて画像を記録する記録装置であって、前記第１の記録素子列の一部の領域の記録素子、前記第２の記録素子列の一部の領域の記録素子を使用して、前記第１の記録素子列の記録位置に対する前記第２の記録素子列の記録位置との相対的な位置のずれ量である記録位置ずれ量を取得するための調整パターンを記録媒体に記録させる第１のパターン記録手段と、前記第１の記録素子列および第２の記録素子列のそれぞれの基準位置に対する傾き量に関する傾き情報を取得する取得手段と、前記第１の記録素子とヘッドの記録位置と前記第２の記録素子の記録位置との相対的な位置を、前記記録位置ずれ量を低減させるように調整するための前記調整パターンに基づく調整量を決定する決定手段と、を有し、前記決定手段は、前記取得手段によって取得された傾き情報と対応する前記傾き量と、前記第１のパターン記録手段によるパターン記録において使用された前記第１、第２の記録素子列の記録素子それぞれの前記第１、第２の記録素子列それぞれにおける位置と、に応じて前記調整量を決定することを特徴とする。
【手続補正２】
【補正対象書類名】特許請求の範囲
【補正対象項目名】全文
【補正方法】変更
【補正の内容】
【特許請求の範囲】
【請求項１】
ドットを記録する複数の記録素子が所定方向に配列された第１の記録素子列と第２の記録素子列と、を備え、前記第１および第２の記録素子列と記録媒体とを前記所定方向と交差する走査方向に相対的に走査させて画像を記録する記録装置であって、
前記第１の記録素子列の一部の領域の記録素子、前記第２の記録素子列の一部の領域の記録素子を使用して、前記第１の記録素子列の記録位置に対する前記第２の記録素子列の記録位置との相対的な位置のずれ量である記録位置ずれ量を取得するための調整パターンを記録媒体に記録させる第１のパターン記録手段と、
前記第１の記録素子列および第２の記録素子列のそれぞれの基準位置に対する傾き量に関する傾き情報を取得する取得手段と、
前記第１の記録素子とヘッドの記録位置と前記第２の記録素子の記録位置との相対的な位置を、前記記録位置ずれ量を低減させるように調整するための前記調整パターンに基づく調整量を決定する決定手段と、を有し、
前記決定手段は、前記取得手段によって取得された傾き情報と対応する前記傾き量と、前記第１のパターン記録手段によるパターン記録において使用された前記第１、第２の記録素子列の記録素子それぞれの前記第１、第２の記録素子列それぞれにおける位置と、に応じて前記調整量を決定することを特徴とする記録装置。
【請求項２】
前記第１の記録素子列は第１の記録ヘッドに備えられ、前記第２の記録素子列は第２の記録ヘッドに備えられていることを特徴とする請求項１に記載の記録装置。
【請求項３】
前記第１および第２の記録素子列による走査と、前記走査方向に交差する搬送方向への記録媒体の搬送によって記録媒体に画像が記録されることを特徴とする請求項１または２に記載の記録装置。
【請求項４】
前記第１の記録素子列および第２の記録素子列のそれぞれの前記基準位置に対する傾き量に関する傾き情報を取得するためのパターンを記録する第２のパターン記録手段を有することを特徴とする請求項１から３のいずれか１項に記載の記録装置。
【請求項５】
パターンを光学的に測定する測定手段を有することを特徴とする請求項１から４のいずれか１項に記載の記録装置。
【請求項６】
前記取得手段は、ユーザーによって入力されることにより、前記傾き情報を取得することを特徴とする請求項１から５のいずれか１項に記載の記録装置。
【請求項７】
前記第１、２の記録素子列の前記一部の領域は、前記第１、２の記録素子列の端部の領域であることを特徴とする請求項１から６のいずれか１項に記載の記録装置。
【請求項８】
前記第１、２の記録素子列の前記一部の領域の前記所定方向における位置が、お互いに対応した位置であることを特徴とする請求項１から７のいずれか１項に記載の記録装置。
【請求項９】
前記第１のパターン記録手段は、前記第１の記録素子列の一部の領域の記録素子、および、前記所定方向における位置が前記第１の記録素子列の一部の領域に対応する前記第２の記録素子列の一部の領域の記録素子を使用して、前記第１の記録素子列の記録位置に対する前記第２の記録素子列の記録位置との相対的な位置のずれ量を取得するための調整パターンを記録媒体に記録させ、
前記第１の記録素子列の他部の領域の記録素子、および、前記所定方向における位置が前記第１の記録素子列の他部の領域に対応する第３の記録素子列の一部の領域の記録素子を使用して、前記第１の記録素子列の記録位置に対する前記第２の記録素子列の記録位置との相対的な位置のずれ量を取得するための調整パターンを記録媒体に記録させることを特徴とする請求項１から８のいずれか１項に記載の記録装置。
【請求項１０】
前記第１、第２の記録素子列の他部同士によるパターンの記録と、前記第１、第３の記録素子列の他部同士によるパターンの記録と、を同じ走査で行うことを特徴とする請求項９に記載の記録装置。
【請求項１１】
前記決定手段は、前記調整パターンから得られる情報に基づいて前記調整量を決定し、前記第１および第２の記録素子列の前記基準位置からの傾き、および、前記第１のパターン記録手段に使用された記録素子の前記基準位置からの位置ずれが、前記記録位置ずれ量に及ぼす影響を低減するように、前記傾き量および位置ずれ情報を用いて前記調整量を補正する、ことを特徴とする請求項１に記載の記録装置。
【請求項１２】
前記決定手段は、前記傾き量および位置ずれ情報の、前記記録位置ずれ量に及ぼす影響の程度を算出し、前記影響の程度が所定よりも大きい場合には、前記影響を低減するように前記第１のパターン記録手段に使用される記録素子の前記基準位置に対する位置を変更し、変更した後に得られる前記調整パターンからの情報に基づいて、前記調整量を決定する、ことを特徴とする請求項１に記載の記録装置。
【請求項１３】
前記決定手段は、前記傾き量および位置ずれ情報の、前記記録位置ずれ量に及ぼす影響の程度を算出し、前記影響の程度が所定よりも大きい場合には、前記調整パターンに加えて前記影響を低減するための補正パターンを記録させ、当該調整パターンおよび補正パターンから得られる情報に基づいて、前記調整量を決定する、ことを特徴とする請求項１に記載の記録装置。
【請求項１４】
ドットを記録する複数の記録素子が所定方向に配列された第１の記録素子列と第２の記録素子列と、を備え、前記第１および第２の記録素子列と記録媒体とを前記所定方向と交差する走査方向に相対的に走査させて画像を記録する記録装置における、前記第１の記録素子列の記録位置に対する前記第２の記録素子列の記録位置ずれを調整する記録位置調整方法であって、
前記第１の記録素子列の一部の領域の記録素子、前記第２の記録素子列の一部の領域の記録素子を使用して、前記第１の記録素子列の記録位置に対する前記第２の記録素子列の記録位置との相対的な位置のずれ量である記録位置ずれ量を取得するための調整パターンを記録媒体に記録させる第１のパターン記録工程と、
前記第１の記録素子列および第２の記録素子列のそれぞれの基準位置に対する傾き量に関する傾き情報を取得する取得工程と、
前記第１の記録素子とヘッドの記録位置と前記第２の記録素子の記録位置との相対的な位置を、前記記録位置ずれ量を低減させるように調整するための前記調整パターンに基づく調整量を決定する決定工程と、を有し、
前記決定工程では、前記取得工程で取得された傾き情報と対応する前記傾き量と、前記第１のパターン記録手段によるパターン記録において使用された前記第１、第２の記録素子列の記録素子それぞれの前記第１、第２の記録素子列それぞれにおける位置と、に応じて前記調整量が決定されることを特徴とする記録位置調整方法。